(57)【要約】　【課題】　商品の陳列や取り出しの支障にならない小スペースで、顧客に対する注目度を集めて広告効果を高めて販売促進に供するとともに取り扱い、使用性に優れたＰＯＰ表記具を提供すること。　【解決手段】　ＰＯＰ表記２１ａがされた表記部２１を有し陳列棚１に設けられる表記具において、棚札１０または陳列棚１に着脱可能で、前記棚札表示１３の少なくとも商品名、値段の表示が見える窓２４を形成するとともに目立つように装飾された窓枠２２とを備えたこと。　【選択図】　　　図２
2004013165.tif 000002
【特許請求の範囲】
【請求項１】
　ＰＯＰ表記がされた表記部を有し陳列棚に設けられる表記具において、
　棚札または前記棚に着脱可能で、前記棚札表示のうち少なくとも商品名、値段の表示が見える窓を形成するとともに目立つように装飾された窓枠とを備えたことを特徴とする棚札用ＰＯＰ表示具。
【請求項２】
　ＰＯＰ表記がされた表記部を有し陳列棚に設けられる表記具において、
　棚札または前記棚に着脱可能で、前記棚札表示のうち少なくとも商品名、値段、及びバーコードの表示が見える窓を形成するとともに目立つように装飾された窓枠とを備えたことを特徴とする棚札用ＰＯＰ表示具。
【発明の詳細な説明】
【技術分野】
【０００１】
　本発明は、棚札用ＰＯＰ表記具に関し、詳しくはスーパーマーケット等の小売販売店で商品陳列棚に取り付けられ商品の価格を表示する棚札であって、特に特売商品など特別な商品に対応する棚札に顧客の関心を向けさせるために用いられるＰＯＰ表記具に関する。
【背景技術】
【０００２】
　従来、ＰＯＰ表記がされた表示部を有する表記具（ＰＯＰ表記具）を、価格表示器（棚札）３と共に陳列棚に取り付けることは知られている。例えば、特開平８−１８５１２３号公報の図５，図１１に開示されるように、単にＰＯＰ表記がされたＰＯＰ紙（ＰＯＰ表記具）６６を棚札取付レール９の下部に取り付けている。
　しかるに、上記ＰＯＰ紙６６は、さほど大きくない価格表示器（棚札）３とほぼ同等の大きさである。これは、棚札も同様であるが、ＰＯＰ紙（ＰＯＰ表記具）が大きすぎると顧客が商品を陳列棚から取り出す際に邪魔になるため大きさを制限していることによるものである。
　そのため、従来のＰＯＰ紙を用いてＰＯＰ表記を行なった場合でも、目立ち方が少なく近くにいる顧客にしか注目されないなど、顧客に対する広告効果に乏しい不具合があった。
【発明の開示】
【発明が解決しようとする課題】
【０００３】
　本発明は、上記従来事情に鑑みその不具合を解消して、商品の陳列や取り出しの支障にならない小スペースで、顧客に対する注目度を集めて広告効果を高めて販売促進に供するとともに取り扱い、使用性に優れたＰＯＰ表記具を提供することを目的とする。
【課題を解決するための手段】
【０００４】
　斯る本発明のＰＯＰ表記具は、ＰＯＰ表記がされた表記部を有し陳列棚に設けられる表記具において、棚札または前記棚に着脱可能で、前記棚札表示のうち少なくとも商品名、値段の表示が見える窓を形成するとともに目立つように装飾された窓枠とを備えたものである。
　又、上記窓は棚札表示のうち少なくとも商品名、値段、及びバーコードの表示が見える窓としてもよい。
　すなわち、単なる表記部だけでなく、該表記部と一体に棚札表示の外周を囲む窓枠を形成して、小スペースでも拡大感を付与させたことを特徴とする。
　このＰＯＰ表記具は、前記窓枠が棚札表示を囲むようにして、必要が生じた棚札に直接に又は前記棚に前記取付け部を取り付けて使用される。
　上記表記部のＰＯＰ表記は、特売など商品の販売促進に関する情報や広告を、宣伝効果の高いＰＯＰ文字で表示したものである。
【発明の効果】
【０００５】
　本発明によれば、陳列棚から商品の取り出しに支障とならない小スペースで、棚札の外周を装飾された窓枠で囲むので、大きなＰＯＰ表記を行なったような拡大感が付与されて目立ち、顧客に対して強く注目させ広告効果を高めて販売促進に供する。しかも、着脱可能としたので、必要が生じた棚札のみに選択的にＰＯＰ表記をすることができるので、構造が簡単であって安価であるとともに取り扱い、使用性に優れた表記具を提供する。
【実施例１】
【０００６】
　本発明の実施の形態を図面により説明すると、図１は、商品の陳列棚１に、棚札１０と共に本発明のＰＯＰ表記具２０を取り付けた状態の斜視図、図２はその拡大正面図を示す。
【０００７】
　陳列棚１は、その前端面にレール部材２を着脱可能に具備してなる。
　レール部材２は、図３に示すように、陳列棚１に取り付けた固定部２ａと、該固定部２ａの前面に傾斜角度を可変に形成されたレール本体部２ｂとにより構成されたプラスチック成形品を例示する。
　レール本体部２ｂは、適宜数の棚札１０を側方からスライド自在に装着し、その上下から挟み込むように押さえる棚札用レール３を具備するとともに、該レール３の上部に、前記表記具２０の取付け部２１を抜き差しかつスライド可能に支持する表記具用取付け溝４を一体に有する。
【０００８】
　棚札１０は、図３に示すように、電子棚札、すなわち赤外線通信機能を備えて外部の管理装置（コントローラ）から指示された商品データを液晶表示する棚札の場合を例示する。
　この電子棚札１０は、一側部に太陽電池１１を有し、該電池１１が店内の照明光線を受光して電力を発生し棚札用の電源となる。また、電子棚札１０には、管理装置との赤外線通信を行うための赤外線受発光部１２を具備する。
　上記電子棚札１０は、その表示部域１３に、モノクロの液晶表示をする表示器１３ａ、商品ラベル１３ｂ及び赤色ＬＥＤ１３ｃを配置して構成される。
【０００９】
　上記表示部域１３の表示器１３ａは、赤外線受発光部１２を介して管理装置に接続制御され、商品ラベル１３ｂは、前記受発光部１２を間にして表示器１３ａに並置され、ＬＥＤ１３ｃは、前記受発光部１２の上方に配置される。
　表示器１３ａには、管理装置から送信される商品の値段等が変更可能に表示され、商品ラベル１３ｂには、品名や単位、あるいはバーコード等が印字されて電子棚札１０に着脱可能に貼付され、ＬＥＤ１３ｃは、表示器１３ａの表示内容が変更されたときに所定時間点滅して注意を促すようにするものである。
【００１０】
　ＰＯＰ表記具２０は、プラスチック材等の薄板材で表記部２１、窓枠２２及び取付け部２３を一体的に作製したもので、その表記部２１は窓枠２２の上辺一側寄りに上方へ面一状に突出した形状に形成され、取付け部２３は、その基部を窓枠２２の裏面上部に貼り付けて後方へ一体的に突出させて形成される。
　表記部２１は、ＰＯＰ表記２１ａ、すなわち「Ｓａｌｅ」、「新発売」あるいは「特売中」等、販売促進に関する情報や広告をＰＯＰ文字で表記したものである。
　この表記部２１は前記窓枠２２と一体に作製される。具体的には、前記ＰＯＰ文字を表記した矩形状の印刷紙をラミネート加工し、又は前記印刷紙をプラスチック板に貼り合わせた後に、表記部２１及び窓枠２２に適合する形状に裁断して作製される。
【００１１】
　したがって、窓枠２２の作製により、該窓枠２２内に窓２４が形成される。
　窓枠２２は、前記電子棚札１０の外周を囲む大きさに形成され、詳しくは、その窓２４を通して電子棚札１０の表示部域１３及び太陽電池１１が見える大きさとする。
【００１２】
　上記表記部２１は、その地色２１ｂすなわち前記印刷紙の地色を色彩三原色の一つ、例えば赤色にして目立たせるようにし、ＰＯＰ表記２１ａは前記地色と全く対称な色彩、例えば黄色又は白色にすることが注目を喚起する上で好ましい。また、窓枠２２もまた目立つような装飾を施す。例えば、前述したように、上記表記部２１と窓枠２２を一枚の印刷紙で作製する場合には、窓枠２２の地色も表記部２１の地色２１ｂと同一色（赤色）で作製される（図２参照）。
　この窓枠２２の地色と表記部２１の地色２１ｂとを同一色にした場合には、一体感があって表記具２０がより大きく見えるので好ましい。
　なお、窓枠２２の地色を表記部２１の地色２１ｂと異なる色彩、例えばＰＯＰ表記２１ａと同一色あるいは他の色彩にすることも任意である。
【００１３】
　而して、上記電子棚札１０は、レール本体部２ｂの棚札用レール部３に挿入しスライドさせることにより、陳列棚１に陳列した商品に対応する位置に装着するが、ＰＯＰ表記具２０は、その取付け部２３をレール本体部２ｂの前記表記具用取付け溝４に前方より差し込んで取り付け、窓枠２２が電子棚札１０の外周を囲むような状態で支持させる。
　したがって、電子棚札１０は、その太陽電池１１、赤外線受発光部１２、表示器１３ａ、商品ラベル１３ｂ、ＬＥＤ１３ｃの全てがＰＯＰ表記具２０の窓２４から露出した状態で装着されるとともに、前記表記具２０の表記部２１が電子棚札１０に近接して配置され、しかも、表記具２０の窓枠２２の着色が単独で、あるいは表記部２１の地色２１ｂの着色と相俟って表記具２０を目立たせる。
　そのため、単にＰＯＰ表記部２１’のみを電子棚札１０の近傍に装着する形態（図４参照）に較べて、顧客に対してＰＯＰ表記を著しく注目させることができる。
【００１４】
　なお、上記実施の形態においては、窓枠２２を装飾する態様として着色による場合を説明したが、必ずしもそれに限るものではなく、窓枠の表面が光を散乱したり、発光するように処理されていることもよい。さらに、窓枠２２の外形、あるいは表記部２１の外形も含めて、スペースをとらない範囲で楕円形や花、果物など遊び心のある異形にすることもよい。
　また、実施の形態においては、表記部２１を窓枠２２の上側に配置した場合を説明したが、該表記部２１は窓枠の下側または左右側の何れに配置することもよい。
【００１５】
　また、上記実施の形態においては、ＰＯＰ表記具２０を陳列棚１のレール部材に取り付ける場合を開示したが、該表示具２０を棚板や棚札に直接に取り付けるようにすることもよい。
　さらに、陳列棚のレール部材は実施の形態に限定されるものではなく、棚札が電子棚札に限られないことは明らかである。
【図面の簡単な説明】
【００１６】
【図１】本発明のＰＯＰ表記具を取付けた状態の陳列棚の斜視図である。
【図２】図１の拡大正面図である。
【図３】図２の（３）−（３）線に沿う断面図であり、ＰＯＰ表記具を分離させた状態を示す。
【図４】本発明との比較例を示すもので、図２に対応する正面図である。
【符号の説明】
【００１７】
　　　　１：陳列棚　　　　　　　　　　　　　　１０：電子棚札
　　　１１：太陽電池　　　　　　　　　　　　　１３：表示部域
　　　２０：ＰＯＰ表記部　　　　　　　　　　　２２：窓枠
　　　２３：取付け部　　　　　　　　　　　　　２４：窓
【図１】
2004013165.tif 000003
【図２】
2004013165.tif 000004
【図３】
2004013165.tif 000005
【図４】
2004013165.tif 000006